(57)【特許請求の範囲】
【請求項１】
昇降路を昇降するかごと、
前記かごに備えられた表示装置を制御する制御手段と、
を備え、
前記かごは、折り畳まれて収納されることにより前記かごの内壁面の一部を形成する椅子を備え、
前記椅子は、前記かごの外に搬出可能に組み立てられ、
前記制御手段は、特定の非常運転が開始されると、前記表示装置に前記椅子の配送先を表示させるエレベータ装置。
【請求項２】
前記椅子は、キャスターを備えた請求項１に記載のエレベータ装置。
【請求項３】
前記かごは、複数の前記椅子を備えた請求項１又は請求項２に記載のエレベータ装置。
【請求項４】
前記かごは、全てが組み立てられると前記かごの床に並べて載せることができない数の前記椅子を備えた請求項１又は請求項２に記載のエレベータ装置。
【請求項５】
前記かごは、奥側の内壁面の下部及び両側の内壁面の下部が前記椅子によって形成された請求項３又は請求項４に記載のエレベータ装置。
【請求項６】
前記かごは、前記椅子が組み立てられると前記椅子が収納されていた時より有効面積が広がる請求項３又は請求項４に記載のエレベータ装置。
【発明の詳細な説明】
【技術分野】
【０００１】
この発明は、エレベータ装置に関する。
【背景技術】
【０００２】
特許文献１に、エレベータ装置の従来技術が記載されている。特許文献１に記載されたエレベータ装置では、かごに椅子が設けられる。この椅子は折り畳み自在に構成され、使用しない場合は折り畳まれて収納される。
【先行技術文献】
【特許文献】
【０００３】
【特許文献１】実開平７−３５４６５号公報
【発明の概要】
【発明が解決しようとする課題】
【０００４】
一部のエレベータ装置は、火災等の非常時にも使用される。特許文献１に記載されたエレベータ装置を非常時に使用しても、椅子を有効に利用することができない。また、椅子がかごの壁面から突出するため、避難する人が乗るためのスペースが狭くなってしまう。特許文献１に記載されたエレベータ装置を非常時に使用しても、避難を迅速に行うことができなかった。
【０００５】
この発明は、上述のような課題を解決するためになされた。この発明の目的は、非常時の避難を迅速に行うことができるエレベータ装置を提供することである。
【課題を解決するための手段】
【０００６】
この発明に係るエレベータ装置は、昇降路を昇降するかごと、かごに備えられた表示装置を制御する制御手段と、を備える。かごは、折り畳まれて収納されることによりかごの内壁面の一部を形成する椅子を備え、椅子は、かごの外に搬出可能に組み立てられる。制御手段は、特定の非常運転が開始されると、表示装置に椅子の配送先を表示させる。
【発明の効果】
【０００７】
この発明に係るエレベータ装置であれば、非常時の避難を迅速に行うことができる。
【図面の簡単な説明】
【０００８】
【図１】この発明の実施の形態１におけるエレベータ装置の構成例を示す図である。
【図２】図１のＡ−Ａ断面を示す図である。
【図３】図２のＢ−Ｂ断面を示す図である。
【図４】椅子を組み立てた状態を示す図である。
【図５】図１のＡ−Ａ断面を示す図である。
【図６】表示装置の表示例を示す図である。
【図７】椅子を利用して避難する時の状態を示す図である。
【図８】エレベータのかごの断面を示す図である。
【図９】エレベータのかごの断面を示す図である。
【図１０】エレベータのかごの断面を示す図である。
【図１１】エレベータのかごの断面を示す図である。
【図１２】かごの他の構成例を示す図である。
【図１３】かごの他の構成例を示す図である。
【発明を実施するための形態】
【０００９】
添付の図面を参照し、本発明を説明する。重複する説明は、適宜簡略化或いは省略する。各図において、同一の符号は同一の部分又は相当する部分を示す。
【００１０】
実施の形態１．
図１はこの発明の実施の形態１におけるエレベータ装置の構成例を示す図である。図１は１：１ローピング方式のエレベータ装置を一例として示している。ローピングの方式は、図１に示す例に限定されない。
【００１１】
エレベータのかご１は、主ロープ２によって昇降路３に吊り下げられる。つり合いおもり４は、主ロープ２によって昇降路３に吊り下げられる。主ロープ２の一端は、かご１に連結される。主ロープ２の他端は、つり合いおもり４に連結される。
【００１２】
昇降路３の上方に、機械室５が設けられる。機械室５に、エレベータの制御装置６、巻上機及びそらせ車７が設けられる。機械室５が備えられていないエレベータでは、制御装置６及び巻上機は、例えば昇降路３に設けられる。主ロープ２は、巻上機の駆動綱車８及びそらせ車７に巻き掛けられる。駆動綱車８が回転すると、主ロープ２は駆動綱車８の回転方向に応じた方向に移動する。これにより、かご１は、昇降路３を上昇及び下降する。つり合いおもり４は、かご１が移動する方向とは逆の方向に昇降路３を上昇及び下降する。また、かご１は、乗場９の高さに合わせて停止する。
【００１３】
図２は図１のＡ−Ａ断面を示す図である。図３は図２のＢ−Ｂ断面を示す図である。
かご１は、床１０、天井１１、側パネル１２及び１３、奥パネル１４、前パネル１５、表示装置１６、椅子１７並びにかご戸１８を備える。
【００１４】
床１０に、側パネル１２及び１３、奥パネル１４、前パネル１５の各下端部が固定される。天井１１に、側パネル１２及び１３、奥パネル１４、前パネル１５の各上端部が固定される。前パネル１５は、かご１の前側の側壁（袖壁）を構成する。即ち、前パネル１５は、かご１の内壁面の一部を形成する。前パネル１５に、表示装置１６が設けられる。表示装置１６は、例えば、制御装置６によって制御される。かご１に設けられた制御装置（図示せず）によって表示装置１６の制御を行っても良い。
【００１５】
かご１の一側の側壁は、側パネル１２と椅子１７とによって構成される。同様に、かご１の他側の側壁は、側パネル１３と椅子１７とによって構成される。かご１の奥側の側壁は、奥パネル１４と椅子１７とによって構成される。側パネル１２及び１３、奥パネル１４は、かご１の内部空間を覆うように配置されるが、図２及び図３に示す状態ではかご１の内壁面を形成しない。一方、椅子１７は、かご１の内壁面の一部を形成する。図２は、かご１に１２台の椅子１７が備えられている場合を一例として示している。かご１に備えられる椅子１７の台数はこれに限定されない。
【００１６】
椅子１７は、例えば、折り畳み式の長椅子からなる。図４は椅子１７を組み立てた状態を示す図である。椅子１７は、例えば、各脚部１７ａにキャスター１７ｂが設けられる。脚部１７ａによって支持された座部１７ｃは、表面が平坦状を呈する。図４に示す例では、椅子１７に背もたれは備えられていない。
【００１７】
図２及び図３は、椅子１７が折り畳まれてかご１の内部に収納された状態を示す。椅子１７は、折り畳まれて収納されることにより、座部１７ｃの表面がかご１の内壁面の一部を形成する。かご１の奥側に収納された椅子１７は、キャスター１７ｂが座部１７ｃと奥パネル１４との間に配置される。図２及び図３は、かご１の奥側に４台の椅子１７を収納する例を示している。かご１の奥側に収納された椅子１７は、座部１７ｃの各表面によって同一平面が形成されるように配置される。椅子１７が収納された状態では、キャスター１７ｂはかご１の内部に露出しない。
【００１８】
かご１の両側に収納された４台ずつの椅子１７についても、奥側の椅子１７と同様に配置される。
【００１９】
椅子１７を側パネル１２及び１３、奥パネル１４に固定する方法は、如何なる方法であっても良い。但し、椅子１７は、側パネル１２及び１３、奥パネル１４に着脱自在に固定される。椅子１７を取り付け及び取り外すために特別な鍵を必要としても良い。図２及び図３に示すように椅子１７を縦向きに収納する場合は、椅子１７の上部及び下部の双方を固定することが望ましい。
【００２０】
図５は図１のＡ−Ａ断面を示す図である。図５はかご１から全ての椅子１７が取り外された状態を示す。図２の符号Ｃは、椅子１７が収納されている時のかご１の有効面積を示す。有効面積とは、利用者がかご１に乗ることができる床１０の上面の面積である。これに対し、椅子１７が取り外れた時のかご１の有効面積は、図５において符号Ｄで示される。かご１の有効面積は、椅子１７が組み立てられると椅子１７が収納されていた時より広くなる。図２及び図５は、椅子１７がかご１の外に搬出されることによってかご１の有効面積が奥側及び両側に広がる例を示している。
【００２１】
次に、椅子１７の使用方法について説明する。以下においては、椅子１７が備えられたエレベータ装置が非常用として使用可能な場合について説明する。非常用エレベータ装置とは、火災時に消防夫が消火及び救出のために使用するエレベータ装置のことである。なお、本エレベータ装置の適用例が非常用エレベータ装置に限定される訳ではない。
【００２２】
建物で火災が発生すると、エレベータ装置は消火及び救出のために消防夫によって使用される。特定の非常運転が開始された時に、表示装置１６に椅子１７の配送先を表示させても良い。例えば、制御装置６は、火災時の非常運転が開始されると、表示装置１６に図６に示す内容を表示させる。図６は、表示装置１６の表示例を示す図である。表示装置１６に表示させる内容は、制御装置６内のメモリに予め記憶される。表示装置１６に表示させる内容を遠隔の監視センタから指示しても良い。椅子１７を有するかご１が建物内に複数台備えられている場合は、図６に示すように、他のエレベータ装置に割り当てられた椅子１７の配送先を表示装置１６に表示しても良い。
【００２３】
消防夫は、表示装置１６に表示された内容を確認し、割り当てられた台数の椅子１７を各階の乗場９に配送する。例えば表示装置１６に図６に示す内容が表示された場合、消防夫は、先ず、かご１を５階に停止させる。かご１が５階に停止すると、消防夫は、椅子１７を側パネル１２から取り外し、椅子１７を組み立てる。消防夫は、組み立てた椅子１７をかご１の外に搬出する。椅子１７にはキャスター１７ｂが備えられているため、椅子１７の移動を容易に行うことができる。消防夫は、３台の椅子１７を５階の乗場に並べると、かご１を４階、３階、２階と順次移動させて各階で上記と同様の作業を行う。
【００２４】
例えば火災報知器が動作すると、エレベータ装置を利用して避難しようとする人が５階の乗場９に集まる。若い健常者は、火災時に階段を使用して避難することができる。エレベータ装置を利用して避難しようとする人には、例えば、高齢者、怪我をしている人及び車椅子利用者等が含まれる。このような人は、乗場９で椅子１７に座ってかご１の到着を待つ。車椅子を利用する人も椅子１７に座ってかご１の到着を待つことが望ましい。
【００２５】
かご１が５階の乗場９に到着すると、消防夫は、乗場９にいる避難者を椅子１７ごとかご１に乗せる。図７は、椅子１７を利用して避難する時の状態を示す図である。消防夫は、乗場９にいる避難者をかご１に乗せると、かご１を指定の避難階（例えば、ロビー階）に移動させる。かご１が避難階に到着すると、消防夫は、避難者を椅子１７ごとかご１から降ろす。避難者は、かご１から降りた後も避難のために椅子１７を使用することができる。
【００２６】
上記構成を有するエレベータ装置であれば、椅子１７を利用して非常時の避難を迅速に行うことができる。椅子１７は、かご１の内壁面の一部を形成するように収納され、かご１の内部に露出する。椅子１７を収納するための扉等がかご１に設けられていないため、椅子１７の取り外し作業及び組み立て作業を迅速に行うことができる。
【００２７】
本実施の形態では、かご１に複数台の椅子１７が備えられている場合について説明した。これは一例である。かご１に１台の椅子１７しか備えられていなくても一定の効果は期待できる。但し、かご１に複数台の椅子１７が備えられていれば、多くの人を効率的に避難させることができる。
【００２８】
本実施の形態で説明した例のように、かご１には、全ての椅子１７が組み立てられると床１０に並べて載せることができない数の椅子１７が備えられていることが好ましい。椅子１７はかご１の外に搬出することができるため、避難者は乗場９で椅子１７に座ってかご１の到着を待つことができる。また、避難者が椅子１７に座ってかご１の到着を待っていれば、かご１がその乗場９に到着した時に避難者を直ぐにかご１に乗せることができる。更に、避難者は、かご１から降りた後も椅子１７に座ったまま避難することができる。このような構成は、エレベータ装置を利用して避難する人が多い場所、例えば病院等で特に有効である。
【００２９】
実施の形態２．
図８及び図９は、エレベータのかご１の断面を示す図である。図８及び図９は、図１のＡ−Ａ断面に相当する。図８は椅子１７が収納されている状態のかご１を示す。図９は椅子１７が取り外された状態のかご１を示す。図８及び図９は、椅子１７が取り外されてもかご１の有効面積が変わらない例を示している。なお、本実施の形態で説明しない構成は、実施の形態１で開示した構成と同じである。
【００３０】
図８及び図９に示す例では、側パネル１２及び１３、奥パネル１４がそれぞれ複数のパネルによって構成される。各パネルは、例えば、断面がコ字状を呈する板部材からなる。かかる構成であれば、かご１の両側の側壁及び奥側の側壁の強度を十分に確保した上で、椅子１７をかご１の内部に収納することができる。
【００３１】
実施の形態３．
図１０及び図１１は、エレベータのかご１の断面を示す図である。図１０及び図１１は、図２のＢ−Ｂ断面に相当する。図１０は椅子１７が収納されている状態のかご１を示す。図１１は椅子１７を利用して避難する時の状態を示す。なお、本実施の形態で説明しない構成は、実施の形態１で開示した構成と同じである。
【００３２】
図１０及び図１１に示す例では、側パネル１２は、下部パネル１２ａ及び上部パネル１２ｂを備える。下部パネル１２ａ及び上部パネル１２ｂは、例えば厚みの薄い箱状を呈し、縦向きに配置される。下部パネル１２ａは、開口がかご１の内側に向けられる。上部パネル１２ｂは、下部パネル１２ａの上に載せられ、開口がかご１の外側に向けられる。下部パネル１２ａ及び上部パネル１２ｂからなる側パネル１２であれば、かご１の一側の側壁に十分な強度を付与できる。
【００３３】
椅子１７は、例えば、下部パネル１２ａに形成された内部の空間に収納される。上部パネル１２ｂの開口はかご１の外側に向けられているため、上部パネル１２ｂに椅子１７は固定されない。即ち、上部パネル１２ｂは、かご１の内壁面の一部を形成する。図１０は、かご１の一側の内壁面のうち下部のみが椅子１７の座部１７ｃによって形成される例を示している。
【００３４】
側パネル１３は、下部パネル１３ａ及び上部パネル１３ｂを備える。側パネル１３の構成は、側パネル１２の構成と同様である。例えば、かご１の他側の内壁面のうち下部のみが椅子１７の座部１７ｃによって形成される。奥パネル１４は、下部パネル１４ａ及び上部パネル１４ｂを備える。奥パネル１４の構成は、側パネル１２の構成と同様である。例えば、かご１の奥側の内壁面のうち下部のみが椅子１７の座部１７ｃによって形成される。
【００３５】
図１０及び図１１に示すかご１では、椅子１７が組み立てられると、内部空間のうち下部の空間のみが広がる。本エレベータ装置では、避難者が椅子１７に座った状態で避難することを想定している。避難者は、椅子１７に座った状態では上部パネル１２ｂ、１３ｂ及び１４ｂに接触しない。図１０及び図１１に示す構成であれば、かご１の側壁として一定の強度を確保した上で、避難時に多くの人をかご１に乗せることができる。
【００３６】
図１２及び図１３は、かご１の他の構成例を示す図である。
図１２に示す例では、側パネル１２の上部パネル１２ｂは、その開口がかご１の内側に向けられる。同様に、上部パネル１３ｂ及び１４ｂも、各開口がかご１の内側に向けられる。上部パネル１２ｂ、１３ｂ及び１４ｂの各内部にも椅子１７が収納される。図１３に示す例では、側パネル１２及び１３に収納された椅子１７の向きと奥パネル１４に収納された椅子１７の向きが一致しない。実施の形態１或いは２で開示した方法と同様の方法によって一部のパネル（図１３に示す例では、奥パネル１４）に椅子１７を収納しても良い。
【符号の説明】
【００３７】
１  かご、  ２  主ロープ、  ３  昇降路、  ４  つり合いおもり、  ５  機械室、  ６  制御装置、  ７  そらせ車、  ８  駆動綱車、  ９  乗場、  １０  床、  １１  天井、  １２  側パネル、  １２ａ  下部パネル、  １２ｂ  上部パネル、  １３  側パネル、  １３ａ  下部パネル、  １３ｂ  上部パネル、  １４  奥パネル、  １４ａ  下部パネル、  １４ｂ  上部パネル、  １５  前パネル、  １６  表示装置、  １７  椅子、  １７ａ  脚部、  １７ｂ  キャスター、  １７ｃ  座部、  １８  かご戸
【図１】
0006256294.tif 000002
【図２】
0006256294.tif 000003
【図３】
0006256294.tif 000004
【図４】
0006256294.tif 000005
【図５】
0006256294.tif 000006
【図６】
0006256294.tif 000007
【図７】
0006256294.tif 000008
【図８】
0006256294.tif 000009
【図９】
0006256294.tif 000010
【図１０】
0006256294.tif 000011
【図１１】
0006256294.tif 000012
【図１２】
0006256294.tif 000013
【図１３】
0006256294.tif 000014